(57)【特許請求の範囲】
【請求項１】
表面にタッチセンサが被着された液晶表示部を備え、液晶表示部に表示されるアイコンにタッチしたことをタッチセンサが検知し、タッチセンサからの検知信号からどのアイコンがタッチされたかを識別して所定の動作を行う制御部を有する液晶表示装置において、タッチセンサからの検知信号により特定されるタッチ位置が所定時間継続して変位し続けた場合に、液晶表示部の表面に対する清掃が開始されたと判断して掃除モードに切り替える掃除モード移行手段と、掃除モードに移行中はタッチセンサからの検知信号に基づく所定の動作を禁止する動作禁止手段とを上記制御部に設けたものであって、液晶表示部へのタッチが終了した時点から、予め設定された所定の復帰時間が経過すると掃除モードを解除して、掃除モードに移行する前の状態に復帰する復帰手段を上記制御部に設け、さらにこの復帰時間を、掃除モードに移行してからの経過時間が長くなるにつれて短くすることを特徴とする液晶表示装置。
【発明の詳細な説明】
【技術分野】
【０００１】
本発明は、例えば、室外に設置された給湯装置の作動を屋内から制御するリモコンなどの、液晶表示部を備えたタッチセンサ式の液晶表示装置に関する。
【背景技術】
【０００２】
液晶表示部の表面にタッチセンサを被着させ、液晶表示部に表示されるスイッチ類のアイコンを指先で触ると、そのアイコンが触られたかをタッチセンサからの検知信号で判断するタッチセンサ式の液晶表示装置が広く知られている。
【０００３】
このタッチセンサを備えた液晶表示部では、常にタッチセンサの表面を指先で触るため、タッチセンサを備えていない液晶表示部よりも遙かに表面が汚れやすい。液晶表示部の表面が汚れると液晶表示部のバックライトによる明かりで汚れが顕在化して非常に見苦しい。そのため、液晶表示部の表面を拭き掃除したいが、液晶表示部の表面を拭くと、タッチセンサの表面を指先で触ったものとして制御部が認識し、所望しない検知信号が制御部に入力されるという不具合が生じる。
【０００４】
そこで、液晶表示部の一部に掃除モードに移行するためのアイコンを設け、このアイコンに触れた時点から所定時間、タッチセンサからの検知信号を無視し、液晶表示部の表面を拭いても動作を起こさないようにしたものが知られている。
【特許文献１】特開２００４−３３４７６２号公報（請求項２、段落００２６）
【発明の開示】
【発明が解決しようとする課題】
【０００５】
上記従来のものでは、掃除モードに移行させる場合には、掃除モードに移行するための専用のアイコンを押し操作する必要がある。したがって、液晶表示部にはこの掃除モードへの移行用のアイコンを設けなければならない。ところが、液晶表示部は操作中に複数の操作画面に切り替わるので、各画面に掃除モード移行用のアイコンを設ける必要がある。また、各画面に掃除モード移行用のアイコンを設けると、各画面のデザインが損なわれるという不具合が生じる場合もある。
【０００６】
別の問題として、上記従来のものでは掃除モードに移行すると所定時間後に自動的に掃除モードが解除されて通常のモードに復帰するように構成されているので、すぐに清掃が終了した場合には、掃除モードが解除されるまで待たなければならず、逆に清掃に時間を要する場合には、清掃が完了する前に掃除モードが終了するという不具合が生じる。
【０００７】
そこで本発明は、上記の問題点に鑑み、上述の不具合が生じない液晶表示装置を提供することを課題とする。
【課題を解決するための手段】
【０００８】
上記課題を解決するために本発明による液晶表示装置は、表面にタッチセンサが被着された液晶表示部を備え、液晶表示部に表示されるアイコンにタッチしたことをタッチセンサが検知し、タッチセンサからの検知信号からどのアイコンがタッチされたかを識別して所定の動作を行う制御部を有する液晶表示装置において、タッチセンサからの検知信号により特定されるタッチ位置が所定時間継続して変位し続けた場合に、液晶表示部の表面に対する清掃が開始されたと判断して掃除モードに切り替える掃除モード移行手段と、掃除モードに移行中はタッチセンサからの検知信号に基づく所定の動作を禁止する動作禁止手段とを上記制御部に設けたものであって、液晶表示部へのタッチが終了した時点から、予め設定された所定の復帰時間が経過すると掃除モードを解除して、掃除モードに移行する前の状態に復帰する復帰手段を上記制御部に設け、さらにこの復帰時間を、掃除モードに移行してからの経過時間が長くなるにつれて短くすることを特徴とする。
【０００９】
操作のためにタッチセンサに触れる場合には、液晶表示部に表示されたスイッチ等のアイコンを触ることを目的とするため、触ったままタッチセンサの表面に沿って移動することはない。これに対して拭き掃除等の清掃を行う場合には、清掃用の布等はタッチセンサの表面の一カ所で停止せず、タッチセンサの表面に沿って移動する。タッチセンサは全面がマトリクス状に区画され、各区画毎に接触されたことを検知できるので、画像表示部にアイコンが表示されていないエリアでもタッチされたことを検知できる。以上から、タッチセンサの表面に沿ってタッチ位置が移動する場合には、通常のアイコンを選択する操作ではなく清掃が開始されたと判断することができる。
【００１０】
なお、清掃途中に清掃が完了したかを確認するため、タッチセンサから布等を離し、液晶表示部の表面を確認することがある。そして、清掃が完了していなければ再度清掃を開始する。この確認の際に掃除モードが解除されると煩わしいので、タッチが終了してもしばらく掃除モードが維持されることが望ましい。
【００１１】
このような場合には、液晶表示部へのタッチが終了した時点から、予め設定された所定の復帰時間が経過すると掃除モードを解除して、掃除モードに移行する前の状態に復帰する復帰手段を上記制御部に設け、すぐに掃除モードが解除されるのではなく、復帰時間が経過するまで掃除モードを維持することが望ましい。
【００１２】
ただし、長時間清掃をしていれば、タッチが終了した時点で清掃が完了していると考えることができ、清掃が完了していればすぐに掃除モードが終了することが望ましい。
【００１３】
このような場合、上記復帰時間を、掃除モードに移行してからの経過時間が長くなるにつれて短くすることが考えられる。
【発明の効果】
【００１４】
以上の説明から明らかなように、本発明は、複数の操作画面の各々に掃除モードに移行するための専用のアイコン等を設ける必要がない。また、掃除モード移行用のアイコンを設けることにより液晶表示部の画面デザインが損なわれることが防止される。
【００１５】
さらに、タッチが終了したあと、すぐに掃除モードを解除しないので清掃が終了するまで掃除モードを継続することができる。また、清掃が完了したとみなされたときは、すぐに掃除モードを解除することができる。
【発明を実施するための最良の形態】
【００１６】
図１を参照して、１は本発明による液晶表示装置である。この液晶表示装置１の全面には液晶表示部２が設けられており、液晶表示装置１に内蔵された制御部（図示せず）によって液晶表示部２の表示画面が切り替えられる。図１に示したものでは、液晶表示部２内の下側にスイッチ類を表示するスイッチエリア２１を設定し、上側に設定温度等を表示する表示エリア２２を設定した。
【００１７】
液晶表示部２の表面には口述するタッチセンサが被着されており、使用者はスイッチエリア２１内のスイッチのアイコンをタッチすると、タッチセンサからの検知信号を元に制御部はどのアイコンがタッチされたかを判断する。そして、そのタッチされたアイコンに対応する動作を行う。また表示エリア２２内にはスイッチのアイコンが表示されていないので、制御部は表示エリア２２内がタッチされたことを検知しても何ら動作を行わない。
【００１８】
図２を参照して、タッチセンサ３は透明なため通常は目視し認識することはないが、図２に示すようにタッチセンサ３の全面には格子状にマトリクスが形成されており、各マトリクス毎にタッチされたことを検知することができる。なお、指先は１個のマトリクスより大きいので、指先でタッチセンサ３の表面をタッチすると複数のマトリクスにタッチされ、それらタッチされたマトリクスの検知信号が制御部に入力される。制御部はタッチセンサの種類によるが、タッチされた複数のマトリクスの中から、例えば中心にあるマトリクスを特定して、そのマトリクスがタッチされたものとする処理を行う。そして、このように特定されたマトリクスがどのアイコンに対応しているかによって、選択されたアイコンを特定する。
【００１９】
操作を行うためにアイコンを指先でタッチすると、タッチされた位置として特定されるマトリクスはほとんど動くことがない。これに対して、液晶表示部２の表面を拭き掃除する際には、タッチセンサ３の表面に布等が接触した時点から接触点を特定するマトリクスは常に移動する。
【００２０】
したがって、タッチセンサ３にタッチした点が移動するか否かで清掃が開始されたのか否かを判断することができる。そこで、図３に示すように、タッチセンサ３にタッチされた検知信号が制御部に入力されると（Ｓ１）、押圧点（タッチされた点）が移動しているかを判断する（Ｓ２）。移動していなければ、清掃開始ではないと判断して通常の制御モード（Ｓ１０）に移行し、スイッチのアイコンがタッチされていれば所定の動作を行い、表示エリア２２がタッチされたのであれば、何ら動作を行わずそのままの状態を維持する。
【００２１】
逆に押圧点が移動していれば清掃が開始された可能性があるが、一般に清掃は布などで液晶表示部２の表面を拭く往復動作を複数回行うので、押圧点の移動が所定時間経過した時点で清掃が開始されたと判断して掃除モードへ移行する（Ｓ３，Ｓ４）
【００２２】
掃除モードに移行するとスイッチエリア２１内のアイコンに相当する位置がタッチされても、制御部は動作を行わず、つまりタッチセンサ３からの検知信号を無視する。掃除モードに移行したあとも清掃が行われている間は押圧点は移動し続ける。そして液晶表示部２の表面の拭き取りが終了すると、布はタッチセンサ３から離れるので押圧点は消滅し、押圧点は移動しなくなる。ただし、拭きムラや汚れが残っているか確認するために布をタッチセンサ３から離す場合もあるので、押圧点が移動しなくなってから、復帰時間を計時するタイマＴ１のカウントを開始する（Ｓ６）。
【００２３】
タイマＴ１がカウントアップするまで再度タッチセンサ３から検知信号が出力されない場合には清掃が終了したものとして通常の制御モードに復帰する（Ｓ６，Ｓ７，Ｓ１０）。一方、タイムアップする前に再び押圧点の移動が開始されると、清掃が完了せず、拭き取り動作が再開したものと判断して、掃除モードを継続する（Ｓ８，Ｓ５）。その後、布がタッチセンサ３から離れて押圧点が移動しなくなると、タイマＴ１の計時を再度開始する。
【００２４】
ところで、図示しないが、掃除モードに移行した時点から別途のタイマの計時を開始し、その経過時間が長くなると、すなわち清掃時間が長くなるとタイマＴ１がタイムアップして通常の制御モードに復帰するまでの復帰時間を短くするように設定した。このようにタイマＴ１による復帰時間を短く変更することにより、経過時間が短い時点では、拭きムラ等のチェックに十分な時間が確保できると共に、経過時間が長くなり清掃が完了したとみなされてから制御モードに復帰するまでの時間を短くすることができる。
【００２５】
なお、本発明は上記した形態に限定されるものではなく、本発明の要旨を逸脱しない範囲内において種々の変更を加えてもかまわない。
【図面の簡単な説明】
【００２６】
【図１】本発明の一実施の形態の構成を示す図
【図２】タッチセンサの構造を示す図
【図３】掃除モードへの移行および解除を示すフロー図
【符号の説明】
【００２７】
１  液晶表示装置
２  液晶表示部
３  タッチセンサ
【図１】
0004753928.tif 000002
【図２】
0004753928.tif 000003
【図３】
0004753928.tif 000004